(57)【要約】【課題】転写材料を使用せずに、メッセージを隠蔽することができ、且つ机や壁などの任意箇所に粘着することができるメッセージ隠蔽可能なメモ用紙を提供することを目的とする。【解決手段】その表面が折り線の標記により表示部とメッセージ記入部とに分けられており、且つ前記折り線に沿って前記メッセージ記入部の裏面を前記表示部の裏面と重ね合せるように折畳むと、前記表示部の裏面の一部が重ね合わせ部分から露出することができ、また、前記一部、並びに前記重ね合せ部分に、それぞれ貼着・剥離可能な第１及び第２の粘着剤層が塗布されていることを特徴とするメッセージ隠蔽可能なメモ用紙を提供する。【選択図】図６
2005178034.tif 000002
【特許請求の範囲】
【請求項１】
その表面が折り線の標記により表示部とメッセージ記入部とに分けられており、且つ前記折り線に沿って前記メッセージ記入部の裏面を前記表示部の裏面と重ね合せるように折畳むと、前記表示部の裏面の一部が重ね合わせ部分から露出することができ、
また、前記一部、並びに前記重ね合せ部分に、それぞれ貼着・剥離可能な第１及び第２の粘着剤層が塗布されていることを特徴とするメッセージ隠蔽可能なメモ用紙。
【請求項２】
前記第２の粘着剤層は、前記メッセージ記入部の裏面に塗布されていることを特徴とする請求項１に記載のメッセージ隠蔽可能なメモ用紙。
【請求項３】
前記第２の粘着剤層は、前記表示部の裏面の前記第１の粘着剤層と所定距離を開けている位置に塗布されていることを特徴とする請求項１に記載のメッセージ隠蔽可能なメモ用紙。
【請求項４】
前記第２の粘着剤層は、前記表示部の裏面の前記第１の粘着剤層と並列するように塗布されていることを特徴とする請求項１に記載のメッセージ隠蔽可能なメモ用紙。
【請求項５】
前記折り線は、印刷による点線であることを特徴とする請求項１に記載のメッセージ隠蔽可能なメモ用紙。
【請求項６】
前記折り線は、ポンチによるミシン目であることを特徴とする請求項１に記載のメッセージ隠蔽可能なメモ用紙。
【請求項７】
その全体形状が上下２端縁を有する長方形であり、前記折り線が前記上下２端縁と互いに平行していることを特徴とする請求項１に記載のメッセージ隠蔽可能なメモ用紙。
【請求項８】
その全体形状が、上下相対の両端縁があり、上端縁が直線状で、下端縁が円弧状であるものであり、前記折り線が前記上端縁と互いに平行していることを特徴とする請求項１に記載のメッセージ隠蔽可能なメモ用紙。
【請求項９】
前記メッセージ記入部の面積が前記表示部の面積より小であり、前記のように折畳むと、前記メッセージ記入部が全て前記表示部の裏面に覆われることを特徴とする請求項７または８に記載のメッセージ隠蔽可能なメモ用紙。
【請求項１０】
前記折り線が横断線であって、その両端部のところに切欠部が形成してあることを特徴とする請求項５に記載のメッセージ隠蔽可能なメモ用紙。
【発明の詳細な説明】
【技術分野】
【０００１】
本発明は、メッセージ隠蔽可能なメモ用紙に関する。
【背景技術】
【０００２】
従来のメッセージ隠蔽可能なメモ用紙は、例えば図１及び図２に示されているもの（欧州特許第０６０１６９６号参照）及び図３に示されているもの（イギリス特許第２２３８０１６号参照）がある。
【０００３】
前者は、記入シート１２と記録シート１１と前記記入シート１２の裏面に形成されている転写層１３とを積層してなっている上、前記記録シート１１の一側には、貼着・剥離可能な粘着剤層１４が塗布されている。それにより、図１に示されているように、メッセージを前記記入シート１２上に書くと、メッセージが前記転写層１３を介して前記記録シート１１上に転写し、そして前記記入シート１２を前記転写層１３と一緒に引き剥がして前記粘着剤層１４を露出させた後、図２に示すように、前記記録シート１１を折畳んで前記粘着剤層１４で粘着固定し、該メッセージを隠蔽することができる。
【０００４】
後者は、図３に示されているように、記入シート２１と転写シート２２と記録シート２３とを分離可能に順序に積層してなったものである。メッセージを前記記入シート２１に書くと、前記と同様に、メッセージが前記転写シート２２を介して前記記録シート２３上に転写され、そして前記記入シート２１を引き剥がして前記転写シート２２及び前記記録シート２３を残し、該メッセージを前記転写シート２２の下面に隠蔽することができる。また、前記転写シート２２を引き剥がしてから、前記記録シート２３にあるメッセージを見ることができる。
【特許文献１】欧州特許第０６０１６９６号
【特許文献２】イギリス特許第２２３８０１６号
【発明の開示】
【発明が解決しようとする課題】
【０００５】
上記従来のメッセージ隠蔽可能なメモ用紙は、いずれも、メッセージを隠蔽する機能を有するが、転写材料を使用する必要があるので、加工が複雑である上、コストが高い。また、メッセージを隠蔽した後、机や壁に粘着されることができないので、紛失し易い恐れがある。
【０００６】
本発明は、上記に鑑みてなされたものであり、転写材料を使用せずに、メッセージを隠蔽することができ、且つ机や壁などの任意箇所に粘着することができるメッセージ隠蔽可能なメモ用紙を提供することを目的とする。
【課題を解決するための手段】
【０００７】
前記目的を達成するために、発明者は、その表面が折り線の標記により表示部とメッセージ記入部とに分けられており、且つ前記折り線に沿って前記メッセージ記入部の裏面を前記表示部の裏面と重ね合せるように折畳むと、前記表示部の裏面の一部が重ね合わせ部分から露出することができ、また、前記一部、並びに前記重ね合せ部分に、それぞれ貼着・剥離可能な第１及び第２の粘着剤層が塗布されていることを特徴とするメッセージ隠蔽可能なメモ用紙を提供する。
【０００８】
それにより、メッセージを前記メッセージ記入部の表面に書いた後、前記のように折畳むと、前記第２の粘着剤層により前記メッセージ記入部の裏面を前記表示部の裏面に粘着し、そして前記表示部の裏面の一部にある前記第１の粘着剤層により机や壁などの任意箇所に粘着し、前記メッセージを該任意箇所と前記表示部との間に隠蔽することができる。
【０００９】
この構成によるメッセージ隠蔽可能なメモ用紙は、転写材料を使用せずに、メッセージを隠蔽することができるので、コストが安い。また、前記第１の粘着剤層により机や壁に粘着されることができるので、メモ用紙が紛失する恐れがない。
【００１０】
そして、前記第２の粘着剤層は、前記メッセージ記入部の裏面と前記表示部の裏面と粘着できる箇所に塗布されれば良く、例えば前記メッセージ記入部の裏面に、前記表示部の裏面の前記第１の粘着剤層と所定距離を開けている位置に塗布され、または前記表示部の裏面の前記第１の粘着剤層と並列するように塗布されることができる。
【００１１】
そして、前記折り線は、印刷による点線であってもよく、ポンチによるミシン目であってもよい。また、前記折り線を折り畳みやすいためにその両端部のところに切欠部を形成しても良い。
【００１２】
そして、前記メモ用紙の形状は制限されず、例えば、その全体形状が上下２端縁を有する長方形であり、前記折り線が前記上下２端縁と互いに平行し、またはその全体形状が、上下相対の両端縁があり、上端縁が直線状で、下端縁が円弧状であるものであり、前記折り線が前記上端縁と互いに平行していることができる。
【００１３】
また、前記メッセージ記入部の面積が前記表示部の面積より小であり、前記のように折畳むと、前記メッセージ記入部が全て前記表示部の裏面に覆われることが好ましい。
【発明の効果】
【００１４】
本発明のメッセージ隠蔽可能なメモ用紙は、転写材料を使用する必要がない上、机や壁に粘着固定されることができるので、コストが安く、紛失し難い。
【発明を実施するための最良の形態】
【００１５】
以下、本発明のメッセージ隠蔽可能なメモ用紙の好ましい実施形態を詳しく説明する。なお、以下の説明においては、そのサイズに拘わらず、略同一の機能及び構成を有する構成要素については、同一符号を付し、重複説明は必要な場合にのみ行う。
【００１６】
（実施形態１）
本発明の第１の実施形態のメッセージ隠蔽可能なメモ用紙３は、図４及び図５に示すように、その全体の形状が上下２端縁３１１，３１２を有する長方形であり、該長方形の表面３１に折り線３２の標記により表示部３１３とメッセージ記入部３１４との上下２の部分に分けられている。
【００１７】
もっと詳しく説明すると、前記折り線３２は、印刷による点線であって、メモ用紙３を横断するように前記上下２端縁３１１，３１２と互いに平行し、且つ該メモ用紙３を、前記メッセージ記入部３１４の面積が前記表示部３１３の面積より小であるように区画している。また、前記メモ用紙３の上端縁３１１の裏面、すなわち前記表示部３１３の上端縁の裏面に、貼着・剥離可能な第１の粘着剤層３３が塗布されており、前記メッセージ記入部３１４の裏面に、貼着・剥離可能な第２の粘着剤層３４が塗布されている。
【００１８】
また、一般的には、図５に示すように、前記メッセージ隠蔽可能なメモ用紙３を複数枚積層して前記第１及び第２の粘着剤層３３、３４により冊子状に粘着している。
【００１９】
それにより、前記表示部３１３の表面に受取人の名前及び自分の名前を記入し、且つ前記メッセージ記入部３１４の表面に、隠蔽しようとするメッセージを記入した後、図６に示すように、まず、前記折り線３２に沿って前記メッセージ記入部３１４の裏面を前記表示部３１３の裏面と重ね合せるように折畳み、この時、前記第２の粘着剤層３４により前記メッセージ記入部３１４と前記表示部３１３とが前記重ね合せ状態に粘着固定されることができる。また、前記重ね合せ状態の下に、前記メッセージ記入部３１４が全て前記表示部３１３の裏面に覆われると共に前記表示部３１３の裏面の前記第１の粘着剤層３３を含めた一部が前記重ね合わせ部分から露出することができる。
【００２０】
そして、前記表示部３１３の上端縁の裏面の前記第１の粘着剤層３３により、該メモ用紙３を机や壁などの任意箇所４に粘着し、前記メッセージ記入部３１４にあるメッセージを前記任意箇所４と前記表示部３１３との間に隠蔽することができる。
【００２１】
また、前記第１の粘着剤層３３は、貼着・剥離可能なものであるので、繰返して貼り付けられることができる。
【００２２】
（実施形態２）
図７は、本発明の第２の実施形態のメッセージ隠蔽可能なメモ用紙を示す斜視図である。この実施形態の前記第１の実施形態と異なる点は、メモ用紙３の下端縁３１２が円弧状である外、前記第２の粘着剤層３４が前記表示部３１３の裏面の前記第１の粘着剤層３３と所定距離を開けている位置に塗布され、それに、前記折り線３２がポンチによるミシン目である。
【００２３】
（実施形態３）
図８は、本発明の第３の実施形態のメッセージ隠蔽可能なメモ用紙を示す斜視図である。この実施形態の前記第１の実施形態と異なる点は、前記第２の粘着剤層３４が前記表示部３１３の裏面の前記第１の粘着剤層３３と並列するように塗布され、且つ前記折り線３２の両端部のところに切欠部３２１が形成してある。
【００２４】
このように、本発明のメッセージ隠蔽可能なメモ用紙は、コストが高い転写材料を使用せずに、メッセージを容易に隠蔽することができる上、机や壁に粘着されて紛失を防止することができるので、コストが安く、便利である。
【００２５】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００２６】
【図１】従来のメッセージ隠蔽可能なメモ用紙の一例の斜視図
【図２】図１のメモ用紙のメッセージが隠蔽された時の斜視図
【図３】従来のメッセージ隠蔽可能なメモ用紙の他の例の分解斜視図
【図４】本発明の第１の実施形態のメッセージ隠蔽可能なメモ用紙を複数枚積層して冊子になった時の斜視図
【図５】図４の側断面図
【図６】前記第１の実施形態のメモ用紙のメッセージが隠蔽された後、机や壁に貼り付けた時の斜視図
【図７】本発明の第２の実施形態のメッセージ隠蔽可能なメモ用紙の斜視図
【図８】本発明の第３の実施形態のメッセージ隠蔽可能なメモ用紙の斜視図
【符号の説明】
【００２７】
３      メモ用紙
３１    表面
３２    折り線
３３    第１の粘着剤層
３４    第２の粘着剤層
３１１  上端縁
３１２  下端縁
３１３  表示部
３１４  メッセージ記入部
３２１  切欠部
４      任意箇所
【図１】
2005178034.tif 000003
【図２】
2005178034.tif 000004
【図３】
2005178034.tif 000005
【図４】
2005178034.tif 000006
【図５】
2005178034.tif 000007
【図６】
2005178034.tif 000008
【図７】
2005178034.tif 000009
【図８】
2005178034.tif 000010